(57)【要約】【課題】発声による会話が困難で、手が不自由である障害者が、意思伝達したい時に、介助者がいなくても自分意思での入力を可能にする手障害補助具の確立。【解決手段】楕円形吸い口の外側突起部分に、従来から口で銜えて使用されている筆やキーボード入力ヘッドなどを接続したスティックを口での入力が容易になる長さ、角度で取り付ける。衝撃吸収性の良い軟質プラスチックで楕円形または扁平の銜え部分とし、口を窄めて銜えなくても角度を固定、涎の垂れを防ぐため、取り付け、取り外しが可能な涎受けカップを取り付ける。さらには、共通の銜え部材を用い、操作物ごとに異なる銜え部材を取り付けられるようにする事で、操作部の数だけの銜え部分が不要となる。【選択図】図３
2009005728.tif 000002
【特許請求の範囲】
【請求項１】
手障害者が使用する小物を口に銜えて操作する際に使用する補助具であって補助具の軸方向に垂直な断面形状が非円形でかつ表面が弾性材料で形成された口銜え部からなり、その銜え部の一端に上記小物を保持する保持部が設けられていることを特徴とする手障害補助具。
【請求項２】
口銜え部の保持部側に涎受けカップを取り付け可能にする鍔部（４）を設けたことを特徴とする請求項１記載の手障害補助具。
【請求項３】
口銜え部の断面形状が楕円形、または扁平形状である請求項１、２記載の手障害補助具。
【請求項４】
保持部がクリップ（５）または、ネジである特許請求項１、２記載の手障害補助具。
【請求項５】
保持部に保持される部分が共通の形状をなす小物。
【請求項６】
小物がキーボード操作用のスティック、または筆記具である請求項５記載の小物。
【請求項７】
カップ内にたまった涎を抜くためのドレン（１２）を設けた涎受けカップ。
【発明の詳細な説明】
【技術分野】
【０００１】
本発明は四肢の自由が利かないアテトーゼが強いなどが理由で、別の体の部位を筆記やパソコン入力に利用する肢体不自由者用、手障害補助具に関するものである。  
【背景技術】
【０００２】
従来の手以外で筆記やパソコン入力するためには、頭部固定式スティックやマウススティックなどが用いられていた。手が不自由である障害者にとって頭部固定式は、頭に取り付けるためには必ず介助者が必要であった。
【０００３】
口での筆記や入力には直接口で筆やスティック銜えて使用することが多く、コップなどに入れてあれば、入力したい時にその場に移動できれば自分の口で銜えて表現できる利点があった。
【０００４】
しかし、銜え部分が衝撃を吸収できないため入力時の反力を抑えるため綿やスポンジを巻いたりしていたが、涎を吸収して不衛生だったり、口を窄めて銜えているので角度が決らず、長い時間の入力は難しかった。また、スティックを涎が伝っていくことで、人に自分の意思を伝えるためのノートが汚れたり、パソコンなどの電子機器入力装置などの故障原因となっていた。さらには、操作物ごとに異なる銜え部材が必要であった。
【０００５】
義肢装具のように個々人に合わせて作ったものでなくとも、これらの欠点を同時に解消できる手障害補助具があれば、好きな時に、長い時間表現したい文章が筆記できるようになり、意思表現の自由度が増しコミュニケーション能力や教育効果の拡大、介助負担軽減など、いろんな面において多くの恩恵を受ける事ができ、同時にこれらの問題は解決する。本人の意思で入力可能となる装置の開発が求められていた。
【発明の開示】
【発明が解決しようとする課題】
【０００６】
解決しようとする問題点は、発声による会話が困難で、手が不自由である障害者が、意思伝達したい時に、介助者がいなくても自分意思での入力を可能にする手障害補助具の確立である。
【０００７】
尚且つ、口蓋固定での入力の欠点であった、涎が筆記ノートや電子機器にたれることを解決した手障害補助具である。
【課題を解決するための手段】
【０００８】
本発明は、楕円形吸い口の外側突起部分に、従来から口で銜えて使用されている筆やキーボード入力ヘッドなどの小物を保持する保持部を設け、共通の銜え部材を用い、操作物ごとに異なる銜え部材を取り付けられるようにする。衝撃吸収性の良い軟質プラスチックで楕円形または扁平の銜え部分とする。さらに、脱着可能な涎受けカップを取り付ける。
【発明の効果】
【０００９】
本発明は、手が不自由であっても、コップなどに立ててあるこの装置を銜えることで、介助者がいなくても表現したい文章が好きな時に筆記、入力できるようになり、意思表現の自由度が増しコミュニケーション能力や教育効果の拡大、介助負担軽減など、いろんな面において多くの恩恵を受ける事が可能となる。
【００１０】
本発明は、銜え部分の入力時の反力による衝撃を吸収し、涎受けにより
ノートやキーボードが涎で不衛生に汚れを防いだ状態での入力を可能にする。
【発明を実施するための最良の形態】
【００１１】
軸方向に垂直な断面形状が非円形でかつ表面が弾性材料で形成された口銜え部のからなり、その銜え部の一端に小物を保持する保持部が設けられている。
【実施例１】
【００１２】
図1、図2に示すように手障害者が使用する小物を口に銜えて操作する際に使用する補助具であって補助具の軸方向に垂直な断面形状が、非円形でかつ表面が弾性材料で形成された口銜え部からなり、その銜え部の一端に図5、図6で示される小物等を保持する図3、図4の保持部が設けられている。
【実施例２】
【００１３】
図7、図8に示される実施例は、口銜え部の保持部側に涎受けカップ１０を取り付け可能にする鍔部４を設けてあり、その外周にきのこ型突起９を設け、その位置に対応し、涎受けカップのベロ１０の上部には取り付け孔１１がある。
【実施例３】
【００１４】
図4で示される実施例では、クリップ５で健常者が一般に使う筆記用具を挟んで使用する。クリップ５とスティック６は  クリップ５のつまみの一方にビス、ナット、で取り付けられている。
【実施例４】
【００１５】
図3で示される実施例では、口銜え部保持部側にロングナット３を埋め込み接着固定して取り付けられる。小物が図5、図6に示すようにパソコン入力ヘッド、または筆記具ヘッドの取り付け部はロングナット３に対応したネジ７のように共通の形状をなす。
【実施例５】
【００１６】
図７、図8で示される実施例では、涎受けカップのベロ１０の両サイドにリブ１５を取り付ける。さらに底部に涎抜き用ドレン１２を設け、ドレンキャップ１３、もしくはドレンチューブ１４が取り付けられる。
【産業上の利用可能性】
【００１７】
学校、施設、病院などではこの補助具の導入により、今まで介助者がそばに来るまで意思伝達や筆記が難しかった人のコミュニケーション手段となりうるので、介助に要していた時間とコストが大いに削減され、さらには容易な意思伝達が期待できるので入所者のストレスが大幅に軽減され、リハビリ、教育効率の向上、介助労力の軽減が見込まれる。
【図面の簡単な説明】
【００１８】
【図１】手障害補助具の口銜え部の上面図。
【図２】手障害補助具の口銜え部の正面図。
【図３】保持部がネジである手障害補助具の上部から見た断面図。
【図４】保持部がクリップである手障害補助具の斜視図。
【図５】パソコン入力ヘッドの上面図
【図６】筆記具ヘッドの上面図
【図７】ドレンキャップ取り付け時の涎受け正面図
【図８】口銜え部にドレンチューブ取り付け時の涎受けの側面透視図
【図９】ドレンキャップ取り付け時の涎受け斜透視図
【符号の説明】
【００１９】
１  楕円形吸い口本体
２  外側突起部分
３  ロングナット
４  鍔部
５  クリップ
６  スティック
７  ネジ
８  小物のゴムグリップ部
９  キノコ型突起
10  涎受けカップのベロ 
11  取り付け孔
12  ドレン
13  ドレンキャップ
14  ドレンチューブ 
15  リブ
【図１】
2009005728.tif 000003
【図２】
2009005728.tif 000004
【図３】
2009005728.tif 000005
【図４】
2009005728.tif 000006
【図５】
2009005728.tif 000007
【図６】
2009005728.tif 000008
【図７】
2009005728.tif 000009
【図８】
2009005728.tif 000010
【図９】
2009005728.tif 000011